(57)【要約】【課題】外装箱の大きさに合わせて長さを変化させることが可能な包装材を提供する。【解決手段】１枚の紙板から組み立てられ、内側に物品の収納空間を有する包装材であって、第１方向に沿って立設される第１傾斜部と、第２方向に沿って立設される第２傾斜部と、第１傾斜部の第１方向の端部から内側に折り返された第１折り返し部および第２折り返し部と、第２傾斜部の第２方向の端部から内側に折り返された第３折り返し部および第４折り返し部と、第１折り返し部と第３折り返し部との間に設けられる第１支持部と、第２折り返し部と第４折り返し部との間に設けられる第２支持部と、を備え、収納空間は、第１支持部、第２支持部、第１傾斜部、および第２傾斜部に囲まれ、第１傾斜部および第２傾斜部は、包装材の長さを調整するための調整部を有し、第３方向において、調整部は、第１支持部と第２支持部との間にある。【選択図】図１
2017210241.tif 000002
【特許請求の範囲】
【請求項１】
１枚の紙板から組み立てられ、内側に物品の収納空間を有する包装材であって、
第１方向に沿って立設される第１傾斜部と、
第１方向と交差する第２方向に沿って立設され、第１傾斜部と対向し、上端が下端よりも前記第１傾斜部に近づけて設けられた第２傾斜部と、
前記第１傾斜部の前記第１方向の端部から内側に折り返され、前記第１方向および前記第２方向に対して垂直な第３方向において互いに離間した第１折り返し部および第２折り返し部と、
前記第２傾斜部の前記第２方向の端部から内側に折り返され、前記第３方向において互いに離間した第３折り返し部および第４折り返し部と、
前記第１折り返し部と前記第３折り返し部との間に設けられ、前記物品を下方から支持する第１支持部と、
前記第２折り返し部と前記第４折り返し部との間に設けられ、前記物品を下方から支持する第２支持部と、
を備え、
前記収納空間は、第１支持部、第２支持部、第１傾斜部、および前記第２傾斜部に囲まれ、
前記第１傾斜部および前記第２傾斜部は、前記包装材の前記第３方向における長さを調整するための調整部を有し、
前記調整部の前記第３方向における位置は、前記第１支持部の前記第３方向における位置と、前記第２支持部の前記第３方向における位置と、の間にあることを特徴とする包装材。
【請求項２】
前記調整部を前記収納空間の外側に折り出すことで、前記包装材の前記第３方向における長さが短縮されることを特徴とする請求項１記載の包装材。
【請求項３】
前記第１支持部および前記第２支持部は、下方に向けて曲折されることを特徴とする請求項１または２に記載の包装材。
【請求項４】
前記第１折り返し部と前記第３折り返し部との間に設けられた第１抑制部と、
前記第２折り返し部と前記第４折り返し部との間に設けられた第２抑制部と、
をさらに備え、
前記第１支持部および前記第２支持部は、前記第１抑制部と前記第２抑制部との間に設けられ、前記第１抑制部および前記第２抑制部によって、前記収納空間に収納された前記物品の前記第３方向における移動が抑制されることを特徴とする請求項３記載の包装材。
【請求項５】
前記第１抑制部および前記第２抑制部は、前記第１傾斜部から前記第２傾斜部に向かう第４方向に沿って設けられていることを特徴とする請求項４記載の包装材。
【請求項６】
前記第１折り返し部および前記第２折り返し部は、前記第１傾斜部の上端から内側に折り返され、前記第１傾斜部と前記収納空間との間に位置し、
前記第３折り返し部および前記第４折り返し部は、前記第２傾斜部の前記上端から内側に折り返され、前記第２傾斜部と前記収納空間との間に位置することを特徴とする請求項１〜５のいずれか１つに記載の包装材。
【請求項７】
前記第１折り返し部および前記第２折り返し部は、前記第１傾斜部の下端から内側に折り返され、
前記第３折り返し部および前記第４折り返し部は、前記第２傾斜部の前記下端から内側に折り返されることを特徴とする請求項１〜５のいずれか１つに記載の包装材。
【請求項８】
１枚の紙板から組み立てられ、内側に物品の収納空間を有する包装材であって、
第１方向に沿って立設される第１傾斜部と、
第１方向と交差する第２方向に沿って立設され、第１傾斜部と対向し、上端が下端よりも前記第１傾斜部に近づけて設けられた第２傾斜部と、
前記第１傾斜部の前記第１方向の端部から内側に折り返された第１折り返し部と、
前記第２傾斜部の前記第２方向の端部から内側に折り返された第３折り返し部と、
前記第１折り返し部と前記第３折り返し部との間に設けられ、下方に向けて曲折され、前記物品を下方から支持する第１支持部と、
を備え、
前記収納空間は、第１支持部、第２支持部、第１傾斜部、および前記第２傾斜部に囲まれていることを特徴とする包装材。
【請求項９】
１枚の紙板から組み立てられ、内側に物品の収納空間を有する包装材であって、
第１方向に沿って立設される第１傾斜部と、
第１方向と交差する第２方向に沿って立設され、第１傾斜部と対向し、上端が下端よりも前記第１傾斜部に近づけて設けられた第２傾斜部と、
前記第１傾斜部の上端から内側に折り返された第１折り返し部と、
前記第２傾斜部の前記上端から内側に折り返された第３折り返し部と、
前記第１折り返し部と前記第３折り返し部との間に設けられ、前記物品を下方から支持する第１支持部と、
を備え、
前記収納空間は、第１支持部、第２支持部、第１折り返し部、および前記第２折り返し部によって形成され、
前記第１折り返し部は、前記第１傾斜部と前記収納空間との間に位置し、
前記第３折り返し部は、前記第３傾斜部と前記収納空間との間に位置することを特徴とする包装材。
【発明の詳細な説明】
【技術分野】
【０００１】
本発明の態様は、一般的に、包装材に関する。
【背景技術】
【０００２】
従来、補修部品などの比較的小型の物品を包装する際に、緩衝材、内装箱、および外装箱を用いる技術が知られている。この技術では、まず、物品をエアーキャップ（登録商標）などの緩衝機能を備える緩衝材で包んでから内装箱に入れ、その後、内装箱を外装箱に収納していた。
【０００３】
しかし、この技術では、物品を包装するための部材の点数が多いことや、各部材で物品を包装するための作業工数が多いことなどの課題があり、改善が求められている。その改善の一つとして、特許文献１に開示されたように、一枚の紙板を折り曲げることで、内部に略三角柱形状の物品収納空間を有する緩衝材を形成し、この緩衝材を枠部材の内側に収納する技術が知られている。
【先行技術文献】
【特許文献】
【０００４】
【特許文献１】特許第４７９９１９４号公報
【発明の概要】
【発明が解決しようとする課題】
【０００５】
しかしながら、特許文献１に開示された技術では、収納する物品の大きさに応じた緩衝材を用意する必要があり、緩衝材の汎用性についてまだ改善の余地があった。
本発明は、かかる課題の認識に基づいてなされたものであり、大きさの異なる種々の物品を収納することが可能な包装材を提供することを目的とする。
【課題を解決するための手段】
【０００６】
第１の発明は、１枚の紙板から組み立てられ、内側に物品の収納空間を有する包装材であって、第１方向に沿って立設される第１傾斜部と、第１方向と交差する第２方向に沿って立設され、第１傾斜部と対向し、上端が下端よりも前記第１傾斜部に近づけて設けられた第２傾斜部と、前記第１傾斜部の前記第１方向の端部から内側に折り返され、前記第１方向および前記第２方向に対して垂直な第３方向において互いに離間した第１折り返し部および第２折り返し部と、前記第２傾斜部の前記第２方向の端部から内側に折り返され、前記第３方向において互いに離間した第３折り返し部および第４折り返し部と、前記第１折り返し部と前記第３折り返し部との間に設けられ、前記物品を下方から支持する第１支持部と、前記第２折り返し部と前記第４折り返し部との間に設けられ、前記物品を下方から支持する第２支持部と、を備え、前記収納空間は、第１支持部、第２支持部、第１傾斜部、および前記第２傾斜部に囲まれ、前記第１傾斜部および前記第２傾斜部は、前記包装材の前記第３方向における長さを調整するための調整部を有し、前記調整部の前記第３方向における位置は、前記第１支持部の前記第３方向における位置と、前記第２支持部の前記第３方向における位置と、の間にあることを特徴とする包装材である。
【０００７】
この包装材によれば、物品の大きさに合わせて包装材の長さを調整することができる。このため、当該包装材を用いることで、収納される物品の大きさに応じた包装材を用意する必要が無くなり、作業を簡素化できるとともに、包装材の種数を削減することが可能となる。
【０００８】
第２の発明は、第１の発明において、前記調整部を前記収納空間の外側に折り出すことで、前記包装材の前記第３方向における長さが短縮されることを特徴とする包装材である。
【０００９】
この包装材によれば、調整部が収納空間の内側に向けて折り畳まれる場合に比べて、包装材の第３方向における長さを短縮した際に、調整部が物品の収納の妨げになり難くなる。
【００１０】
第３の発明は、第１または第２の発明において、前記第１支持部および前記第２支持部は、下方に向けて曲折されることを特徴とする包装材である。
【００１１】
この包装材によれば、収納空間の容積を大きくし、より大きな物品を収納することができる。
【００１２】
第４の発明は、第３の発明において、前記第１折り返し部と前記第３折り返し部との間に設けられた第１抑制部と、前記第２折り返し部と前記第４折り返し部との間に設けられた第２抑制部と、をさらに備え、前記第１支持部および前記第２支持部は、前記第１抑制部と前記第２抑制部との間に設けられ、前記第１抑制部および前記第２抑制部によって、前記収納空間に収納された前記物品の前記第３方向における移動が抑制されることを特徴とする包装材である。
【００１３】
この包装材によれば、物品の第３方向における移動が抑制されるため、物品に対する緩衝性能を高めることができる。
【００１４】
第５の発明は、第４の発明において、前記第１抑制部および前記第２抑制部は、前記第１傾斜部から前記第２傾斜部に向かう第４方向に沿って設けられていることを特徴とする包装材である。
【００１５】
この包装材によれば、第１支持部および第２支持部に物品を載置した際に、物品の重量によってこれらの支持部が変形し、鉛直方向における緩衝距離が短くなることを抑制し、包装材の緩衝性能の低下を抑制することができる。
【００１６】
第６の発明は、第１〜第５のいずれかの発明において、前記第１折り返し部および前記第２折り返し部は、前記第１傾斜部の上端から内側に折り返され、前記第１傾斜部と前記収納空間との間に位置し、前記第３折り返し部および前記第４折り返し部は、前記第２傾斜部の前記上端から内側に折り返され、前記第２傾斜部と前記収納空間との間に位置することを特徴とする包装材である。
【００１７】
この包装材によれば、収納空間と第１傾斜部との間に位置する第１折り返し部および第２折り返し部と、収納空間と第２傾斜部との間に位置する第３折り返し部および第４折り返し部と、によって収納空間に収納された物品に対する緩衝性能を高めることができる。
【００１８】
第７の発明は、第１〜第５のいずれかの発明において、前記第１折り返し部および前記第２折り返し部は、前記第１傾斜部の下端から内側に折り返され、前記第３折り返し部および前記第４折り返し部は、前記第２傾斜部の前記下端から内側に折り返されることを特徴とする包装材である。
【００１９】
この包装材によれば、第１傾斜部および第２傾斜部の下端の強度を高めることができる。従って、包装材に衝撃が加えられた際に、第１傾斜部および第２傾斜部が変形または損傷し、緩衝性能が低下することを抑制できる。
【００２０】
第８の発明は、１枚の紙板から組み立てられ、内側に物品の収納空間を有する包装材であって、第１方向に沿って立設される第１傾斜部と、第１方向と交差する第２方向に沿って立設され、第１傾斜部と対向し、上端が下端よりも前記第１傾斜部に近づけて設けられた第２傾斜部と、前記第１傾斜部の前記第１方向の端部から内側に折り返された第１折り返し部と、前記第２傾斜部の前記第２方向の端部から内側に折り返された第３折り返し部と、前記第１折り返し部と前記第３折り返し部との間に設けられ、下方に向けて曲折され、前記物品を下方から支持する第１支持部と、を備え、前記収納空間は、第１支持部、第２支持部、第１傾斜部、および前記第２傾斜部に囲まれていることを特徴とする包装材である。
【００２１】
この包装材によれば、第１支持部が下方に曲折されているため、収納空間の容積を大きくし、より大きな物品を収納することができるようになる。
【００２２】
第９の発明は、１枚の紙板から組み立てられ、内側に物品の収納空間を有する包装材であって、第１方向に沿って立設される第１傾斜部と、第１方向と交差する第２方向に沿って立設され、第１傾斜部と対向し、上端が下端よりも前記第１傾斜部に近づけて設けられた第２傾斜部と、前記第１傾斜部の上端から内側に折り返された第１折り返し部と、前記第２傾斜部の前記上端から内側に折り返された第３折り返し部と、前記第１折り返し部と前記第３折り返し部との間に設けられ、前記物品を下方から支持する第１支持部と、を備え、前記収納空間は、第１支持部、第２支持部、第１折り返し部、および前記第２折り返し部によって形成され、前記第１折り返し部は、前記第１傾斜部と前記収納空間との間に位置し、前記第３折り返し部は、前記第３傾斜部と前記収納空間との間に位置することを特徴とする包装材である。
【００２３】
この包装材によれば、収納空間と第１傾斜部との間に位置する第１折り返し部と、収納空間と第２傾斜部との間に位置する第３折り返し部と、によって収納空間に収納された物品に対する緩衝性能を高めることができる。
【発明の効果】
【００２４】
本発明の態様によれば、大きさの異なる種々の物品を収納することが可能な包装材が提供される。
【図面の簡単な説明】
【００２５】
【図１】第１実施形態に係る包装材の展開図である。
【図２】（ａ）第１実施形態に係る包装材の正面図である。（ｂ）第１実施形態に係る包装材の背面図である。
【図３】第１実施形態に係る包装材の斜視図である。
【図４】第１実施形態に係る包装材の斜視図である。
【図５】第１実施形態に係る包装材が外装箱に収納された状態を表す斜視図である。
【図６】（ａ）第１実施形態に係る包装材の正面図である。（ｂ）第１実施形態に係る包装材の背面図である。
【図７】第１実施形態に係る包装材の斜視図である。
【図８】（ａ）第１実施形態の第１変形例に係る包装材の斜視図である。（ｂ）第１実施形態の第２変形例に係る包装材の斜視図である。
【図９】第２実施形態に係る包装材の展開図である。
【図１０】（ａ）第２実施形態に係る包装材の正面図である。（ｂ）第２実施形態に係る包装材の背面図である。
【図１１】第２実施形態に係る包装材の斜視図である。
【図１２】第２実施形態に係る包装材の斜視図である。
【発明を実施するための形態】
【００２６】
以下、本発明の各実施形態について図面を参照しつつ説明する。なお、各図面中、同様の構成要素には同一の符号を付して詳細な説明は適宜省略する。
【００２７】
（第１実施形態）
図１は、第１実施形態に係る包装材１００の展開図である。
図２（ａ）は、第１実施形態に係る包装材１００の正面図であり、図２（ｂ）は、第１実施形態に係る包装材１００の背面図である。
図３および図４は、第１実施形態に係る包装材１００の斜視図である。
図５は、第１実施形態に係る包装材１００が外装箱に収納された状態を表す斜視図である。
図６（ａ）は、第１実施形態に係る包装材１００の正面図であり、図６（ｂ）は、第１実施形態に係る包装材１００の背面図である。
図７は、第１実施形態に係る包装材１００の斜視図である。
なお、各図において、破線は山折りを表し、一点鎖線は谷折りを表している。
【００２８】
本実施形態に係る包装材１００は、図１の展開図で表される１枚の紙板から組み立てられる。
図１に表すように、包装材１００は、第１傾斜部１１、第２傾斜部１２、第１折り返し部２１、第２折り返し部２２、第３折り返し部２３、第４折り返し部２４、第１支持部３１、第２支持部３２、第１抑制部４１、第２抑制部４２、第１調整部５１、および第２調整部５２を有する。  
【００２９】
以降では、各実施形態の説明のために、第１方向Ｄ１〜第４方向Ｄ４を用いる。第１方向Ｄ１および第２方向Ｄ２は、図２に表すように、包装材１００を組み立てた状態において、第１傾斜部１１および第２傾斜部１２が立設される方向である。また、第３方向Ｄ３は、第１方向Ｄ１および第２方向Ｄ２に対して垂直な方向であり、第４方向Ｄ４は、第１傾斜部１１から第２傾斜部１２に向かう方向である。
【００３０】
図２および図３に表すように、第１傾斜部１１は、第１方向Ｄ１に沿って立設されている。第２傾斜部１２は、第１方向Ｄ１と交差する第２方向Ｄ２に沿って立設されている。第２傾斜部１２は、第１傾斜部１１と対向しており、上端が下端よりも第１傾斜部１１に近づけて設けられている。
【００３１】
図１〜図３に表すように、第１傾斜部１１の第１方向Ｄ１における一端（上端）には、折り目Ａ、切れ目Ｃ１、および折り目Ｂを介して第１折り返し部２１が連設され、折り目Ｃ、切れ目Ｃ２、および折り目Ｄを介して第２折り返し部２２が連設されている。第１折り返し部２１と第２折り返し部２２とは、第３方向Ｄ３において離間している。
【００３２】
同様に、第２傾斜部１２の第２方向Ｄ２における一端（上端）には、折り目Ｅ、切れ目Ｃ３、および折り目Ｆを介して第３折り返し部２３が連設され、折り目Ｇ、切れ目Ｃ４、および折り目Ｈを介して第４折り返し部２４が連設されている。第３折り返し部２３と第４折り返し部２４とは、第３方向Ｄ３において離間している。
【００３３】
第１折り返し部２１および第２折り返し部２２は、それぞれの折り目および切れ目において、第１傾斜部１１の上端から内側に折り返されている。第３折り返し部２３および第４折り返し部２４は、それぞれの折り目および切れ目において、第２傾斜部１２の上端から内側に折り返されている。それぞれの折り返し部分に、切れ目Ｃ１〜Ｃ４の各々が形成されていることで、紙板を容易に折り返すことができるようになる。
【００３４】
包装材１００が組み立てられた状態では、第４方向Ｄ４において、第１折り返し部２１と第３折り返し部２３とが対向し、第２折り返し部２２と第４折り返し部２４とが対向している。
【００３５】
第１支持部３１は、第１折り返し部２１と第３折り返し部２３との間に、折り目ＩおよびＪを介して連設されている。第２支持部３２は、第２折り返し部２２と第４折り返し部２４との間に、折り目ＫおよびＬを介して連設されている。第１支持部３１および第２支持部３２には、折り目ＭおよびＮが形成されており、第１支持部３１および第２支持部３２は、下方に向けて曲折されている。
【００３６】
包装材１００が組み立てられた状態では、内側の空間の一部が、第１傾斜部１１、第２傾斜部１２、第１折り返し部２１、第２折り返し部２２、第１支持部３１、および第２支持部３２によって囲まれ、収納空間ＳＰが形成される。第１支持部３１および第２支持部３２の上に物品を載置することで、物品を収納空間ＳＰに収納することができる。
【００３７】
収納空間ＳＰは、例えば、正面または背面から見た場合に、菱形状に形成されている。ただし、収納空間ＳＰの形状は、収納される物品の大きさや形状などに応じて、適宜変更することが可能である。
【００３８】
例えば、第１支持部３１および第２支持部３２に、より多くの折り目が形成され、正面または背面から見た場合に、収納空間ＳＰが五角形状や六角形状であってもよい。または、第１支持部３１および第２支持部３２が、下方に向けて円弧状に曲折されていてもよい。いずれの形態においても、第１支持部３１および第２支持部３２が、下方に向けて曲折されることで、収納空間ＳＰの容積を大きくすることができる。
【００３９】
なお、第１傾斜部１１や第２傾斜部１２、第１折り返し部２１〜第４折り返し部２４の鉛直方向に対する傾きは、収納空間ＳＰに収納される物品の大きさや形状に合わせて適宜設計変更することができる。
また、図２（ａ）に表す第１支持部３１の折り目Ｍにおける内角α、および図２（ｂ）に表す第２支持部３２の折り目Ｎにおける内角βも、収納空間ＳＰに収納される物品の大きさや形状に合わせて適宜設計変更することができる。
【００４０】
第１抑制部４１は、第１折り返し部２１と第３折り返し部２３との間に、折り目ＯおよびＰを介して連設されている。第２抑制部４２は、第２折り返し部２２と第４折り返し部２４との間に、折り目ＱおよびＲを介して連設されている。第１抑制部４１および第２抑制部４２は、第３方向Ｄ３において互いに離間し、第１支持部３１および第２支持部３２は、第１抑制部４１と第２抑制部４２との間に位置している。
【００４１】
図２および図３に表すように、第１支持部３１および第２支持部３２が下方に向けて曲折しているのに対し、第１抑制部４１および第２抑制部４２は、第４方向Ｄ４（例えば水平方向）に沿って設けられている。また、第１抑制部４１および第２抑制部４２は、第１支持部３１の少なくとも一部および第２支持部３２の少なくとも一部よりも上方に位置している。
【００４２】
このような構造によれば、第１支持部３１および第２支持部３２の上に載置された物品が第３方向Ｄ３に移動した場合、第１抑制部４１および第２抑制部４２に引っ掛かり、物品の第３方向Ｄ３における移動が抑制される。
【００４３】
本実施形態に係る包装材１００には、さらに、包装材１００の第３方向Ｄ３における長さを可変とする調整部が設けられている。この調整部は、例えば、第１傾斜部１１に設けられた第１調整部５１と、第２傾斜部１２に設けられた第２調整部５２と、から構成されている。
【００４４】
第１調整部５１および第２調整部５２は、第１傾斜部１１および第２傾斜部１２の第３方向Ｄ３における略中央に設けられている。また、第１調整部５１の下端および第２調整部５２の下端には、切欠きが形成されている。
【００４５】
第１調整部５１は、折り目Ｓ、Ｔ、およびＵを含む。第２調整部５２は、折り目Ｖ、Ｗ、およびＸを含む。図３および図４に表すように、第１調整部５１および第２調整部５２を、これらの折り目において収納空間ＳＰの外側に折り出すことで、包装材１００の第３方向Ｄ３における長さを、Ｌ１からＬ２に短縮することができる。
【００４６】
組み立てられた包装材１００は、図５に表すように、外装箱６０の内側に収納される。外装箱６０に収納される際、第１傾斜部１１および第２傾斜部１２の下端が、外装箱６０の底面および側面に当接するとともに、包装材１００の第３方向Ｄ３における端部が、外装箱６０の側面に当接する。これにより、包装材１００が、鉛直方向および水平方向において支持され、組み立てた包装材１００の形状が保たれる。
【００４７】
このとき、第１支持部３１および第２支持部３２の曲折部分が、外装箱６０の底面から離間し、収納空間ＳＰが、第１傾斜部１１および第２傾斜部１２の上端から吊り下げられた状態となる。これにより、収納空間ＳＰと外装箱６０の底面との間において、鉛直方向に緩衝空間が形成される。
【００４８】
第３方向Ｄ３においては、第１抑制部４１および第２抑制部４２によって、収納空間ＳＰが外装箱６０の側面と離間され、緩衝空間が形成される。また、第４方向Ｄ４においては、第１傾斜部１１および第２傾斜部１２の下部が外装箱６０の側面に当接することによって、収納空間ＳＰが外装箱６０の側面と離間され、緩衝空間が形成される。
【００４９】
ここで、本実施形態による作用および効果について説明する。
本実施形態に係る包装材は、上述したように、第１傾斜部１１および第２傾斜部１２が、包装材１００の第３方向Ｄ３における長さを調整するための調整部を有する。包装材が調整部を有することで、図３および図４に表すように、物品の大きさ（物品の第３方向Ｄ３における寸法）に合わせて包装材の長さを調整することができる。このため、本実施形態に係る包装材を用いることで、収納される物品の大きさに応じた包装材を用意する必要が無くなり、作業を簡素化できるとともに、包装材の種数を削減することができる。
【００５０】
さらに、本実施形態に係る包装材１００において、第１支持部３１および第２支持部３２は、第３方向Ｄ３において離間している。そして、第１調整部５１および第２調整部５２の第３方向Ｄ３における位置は、第１支持部３１の第３方向Ｄ３における位置と、第２支持部３２の第３方向Ｄ３における位置と、の間にある。
このような構造を採用することで、第１調整部５１および第２調整部５２を折り畳んだ際に、第１支持部３１と第２支持部３２とが接触せず、包装材１００の長さを短縮する際の妨げとならない。また、第１支持部３１と第２支持部３２との間に調整部を位置させることで、包装材１００の第３方向Ｄ３の端部に調整部を設ける場合に比べて、収納空間ＳＰの第３方向Ｄ３における長さを長くすることができ、収納空間ＳＰの容積を大きくすることが可能である。
【００５１】
なお、第１調整部５１および第２調整部５２は、収納空間ＳＰの内側に向けて折り畳まれてもよいが、この場合、これらの調整部が収納空間ＳＰに向けて突出し、物品を収納する際の妨げとなる。
第１調整部５１および第２調整部５２が、収納空間ＳＰの外側に折り出されることで、包装材１００の第３方向Ｄ３における長さを短縮した際に、これらの調整部が物品の収納の妨げになり難くなる。
【００５２】
また、第１調整部５１の下端および第２調整部５２の下端に切欠きを形成することで、第１調整部５１および第２調整部５２を折り出した際に、第１調整部５１および第２調整部５２の下端が外側に突出することを防ぎ、包装材１００の収納に必要な外装箱６０の容積を小さくすることができる。
これと同様に、第１調整部５１の上端および第２調整部５２の上端にも切欠きが形成されていてもよい。こうすることで、第１調整部５１および第２調整部５２を折り出した際に、第１調整部５１および第２調整部５２の上端が上方に突出することを防ぎ、包装材１００の収納に必要な外装箱６０の容積をさらに小さくすることができる。
【００５３】
また、本実施形態に係る包装材１００では、第１折り返し部２１および第２折り返し部２２が第１傾斜部１１の上端から内側に折り返され、第３折り返し部２３および第４折り返し部２４が第２傾斜部１２の上端から内側に折り返される。
こうすることで、第４方向Ｄ４において、収納空間ＳＰと外装箱との間に、各折り返し部および各傾斜部が位置するようになる。収納空間ＳＰと外装箱との間に折り返し部および傾斜部の両方が設けられることで、折り返し部および傾斜部の一方のみが設けられる場合に比べて、収納空間ＳＰに収納された物品に対する緩衝性能を高めることができる。
【００５４】
第１支持部３１の上に物品が載置され、下方に向けて力が加えられると、その力は、第１折り返し部２１および第３折り返し部２３に伝わる。このとき、第１折り返し部２１および第３折り返し部２３には、下方への力とともに、これらの折り返し部を互いに近接させる方向に力が加えられる。
第１抑制部４１は、第４方向Ｄ４に沿って設けられており、下方に向けて曲折されていない。このため、第１折り返し部２１および第３折り返し部２３に力が加えられた際に、これらの折り返し部が第１抑制部４１によって突っ張られることで、第１折り返し部２１および第３折り返し部２３が第１抑制部４１によって支えられ、これらの折り返し部の変形が抑制される。そして、第１折り返し部２１および第３折り返し部２３の変形が抑制されることで、これらの折り返し部に連設された第１支持部３１の変形も抑制される。
すなわち、第１支持部３１および第１抑制部４１が共に第１折り返し部２１および第３折り返し部２３に連設され、第１抑制部４１が第４方向Ｄ４に沿って設けられていることで、第１支持部３１に物品を載置した際に、第１支持部３１が物品の重量によって下方に向けて垂れ下がり、変形することを抑制できる。このため、第１支持部３１に物品を載置した際に、その重量によって鉛直方向における緩衝距離が短くなることを抑制し、包装材１００の緩衝性能の低下を抑制することができる。
【００５５】
第２支持部３２および第２抑制部４２についても同様に、第２支持部３２および第２抑制部４２が第２折り返し部２２および第４折り返し部２４に連設され、第２抑制部４２が第４方向Ｄ４に沿って設けられていることで、第２支持部３２に物品を載置した際に、第２支持部３２が物品の重量によって下方に向けて垂れ下がり、変形することを抑制できる。
【００５６】
なお、図２〜図５では、第１折り返し部２１および第２折り返し部２２と第１傾斜部１１とが接触し、第３折り返し部２３および第４折り返し部２４と第２傾斜部１２とが接触し、第１傾斜部１１および第２傾斜部１２の上端同士が接触している場合の様子を表した。
【００５７】
しかし、包装材１００の使用態様は、図２〜図５に表す例に限られない。
例えば、図６および図７に表すように、第１折り返し部２１および第２折り返し部２２が第１傾斜部１１の内側に折り返された際に、これらの折り返し部の下端が、第１傾斜部１１と離間していてもよい。
同様に、第３折り返し部２３および第４折り返し部２４が第２傾斜部１２の内側に折り返された際に、これらの折り返し部の下端が、第２傾斜部１２と離間していてもよい。
また、第１傾斜部１１の上端と第２傾斜部１２の上端とが離間していてもよい。
【００５８】
図６および図７に表すような場合であっても、第１支持部３１および第２支持部３２の上に物品を載置し、包装材１００の内側に形成された収納空間ＳＰに物品を収納することができる。また、外装箱６０に収納された際にも、鉛直方向および水平方向において、収納空間と外装箱６０との間に緩衝空間を形成することが可能である。
【００５９】
（変形例）
図８（ａ）は、第１実施形態の第１変形例に係る包装材１１０の斜視図であり、図８（ｂ）は、第１実施形態の第２変形例に係る包装材１２０の斜視図である。
【００６０】
図８（ａ）に表す包装材１１０は、第１抑制部４１および第２抑制部４２が設けられていない点で、包装材１００と異なる。
図８（ｂ）に表す包装材１２０は、第１支持部３１および第２支持部３２が下方に向けて曲折されていない点で、包装材１１０と異なる。
【００６１】
これらの包装材１１０および１２０においても、第１支持部３１および第２支持部３２の上に物品を載置することで、収納空間ＳＰに物品を収納することができる。また、第１調整部５１および第２調整部５２を外側に折り出すことで、包装材１１０の第３方向Ｄ３における長さを短縮することが可能である。
【００６２】
ただし、包装材１１０については、物品の重量による第１支持部３１および第２支持部３２の垂れ下がりを抑制し、かつ物品の第３方向Ｄ３における移動を抑制するためには、包装材１００のように、第１抑制部４１および第２抑制部４２が設けられていることが望ましい。
【００６３】
包装材１２０についても、収納空間ＳＰの容積を大きくし、物品の第３方向Ｄ３における移動を抑制するためには、第１抑制部４１および第２抑制部４２が設けられていることが望ましい。
【００６４】
換言すると、包装材１００のように、第１支持部３１および第２支持部３２を下方に向けて曲折させ、これらの支持部を第１抑制部４１と第２抑制部４２との間に設けることで、収納空間ＳＰの容積を大きくしつつ、物品の第３方向Ｄ３における移動を抑制する可能となる。
【００６５】
（第２実施形態）
図９は、第２実施形態に係る包装材２００の展開図である。
図１０（ａ）は、第２実施形態に係る包装材２００の正面図であり、図１０（ｂ）は、第２実施形態に係る包装材２００の背面図である。
図１１および図１２は、第２実施形態に係る包装材２００の斜視図である。
【００６６】
第２実施形態に係る包装材２００は、例えば、図１０〜図１２に表すように、第１傾斜部１１の下端に第１折り返し部２１および第２折り返し部２２が連設され、第２傾斜部１２の下端に第３折り返し部２３および第４折り返し部２４が連設されている点で、第１実施形態に係る包装材と異なる。
【００６７】
このため、第１実施形態に係る包装材では、収納空間ＳＰが、各傾斜部、各折り返し部、および各支持部によって囲まれて形成されていたが、包装材２００では、収納空間ＳＰが、各傾斜部および各支持部によって囲まれて形成されている。
【００６８】
包装材２００においても、各構成要素の機能は、第１実施形態に係る包装材と同様である。すなわち、第１支持部３１および第２支持部３２の上に物品を載置することで、包装材２００の内側に物品が収納される。また、第１抑制部４１および第２抑制部４２が設けられることで、収納空間ＳＰに収納された物品の第３方向Ｄ３における移動が抑制される。
【００６９】
また、図１１および図１２に表すように、第１調整部５１および第２調整部５２を収納空間ＳＰの外側に向けて折り出すことで、包装材２００の第３方向Ｄ３における長さを短縮することが可能である。
【００７０】
本実施形態に係る包装材２００では、第１折り返し部２１〜第４折り返し部２４が、第１傾斜部１１および第２傾斜部１２の下端において内側に折り返されているため、第１実施形態に比べ、第１傾斜部１１および第２傾斜部１２の下端の強度を高めることができる。従って、包装材２００に衝撃が加えられた際に、第１傾斜部１１および第２傾斜部１２が変形または損傷し、緩衝性能が低下することを抑制できる。
【００７１】
以上で説明した各実施形態では、包装材に調整部が設けられ、調整部が第１支持部３１と第２支持部３２との間に位置し、包装材の第３方向Ｄ３における長さを調整可能に構成されている場合について説明した。
【００７２】
しかし、本発明に係る包装材は、調整部が設けられたものに限られない。
例えば、一実施形態に係る包装材は、第１傾斜部１１、第２傾斜部１２、第１折り返し部２１、第３折り返し部２３、および第１支持部３１を備え、第１支持部３１が下方に曲折されている。包装材が、下方に曲折した第１支持部３１を備えることで、収納空間ＳＰの容積を大きくし、より大きな物品を収納することができるようになる。
【００７３】
他の実施形態に係る包装材は、第１傾斜部１１、第２傾斜部１２、第１折り返し部２１、第３折り返し部２３、および第１支持部３１を備える。そして、第１折り返し部２１が第１傾斜部１１の上端から折り返され、第３折り返し部２３が第２傾斜部１２の上端から折り返されている。このような構造によれば、収納空間ＳＰと外装箱との間に折り返し部および傾斜部の両方が設けられるため、折り返し部および傾斜部の一方のみが設けられる場合に比べて、収納空間ＳＰに収納された物品に対する緩衝性能を高めることができる。
【００７４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、包装材１００〜１２０および２００が備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７５】
１１ 第１傾斜部、  １２ 第２傾斜部、  ２１ 第１折り返し部、  ２２ 第２折り返し部、  ２３ 第３折り返し部、  ２４ 第４折り返し部、  ３１ 第１支持部、  ３２ 第２支持部、  ４１ 第１抑制部、  ４２ 第２抑制部、  ５１ 第１調整部、  ５２ 第２調整部、  ６０ 外装箱、  α、β 内角、  １００〜１２０、２００ 包装材、  Ａ〜Ｘ 折り目、  Ｃ１〜Ｃ４ 切れ目、  Ｄ１ 第１方向、  Ｄ２ 第２方向、  Ｄ３ 第３方向、  Ｄ４ 第４方向、  ＳＰ 収納空間
【図１】
2017210241.tif 000003
【図２】
2017210241.tif 000004
【図３】
2017210241.tif 000005
【図４】
2017210241.tif 000006
【図５】
2017210241.tif 000007
【図６】
2017210241.tif 000008
【図７】
2017210241.tif 000009
【図８】
2017210241.tif 000010
【図９】
2017210241.tif 000011
【図１０】
2017210241.tif 000012
【図１１】
2017210241.tif 000013
【図１２】
2017210241.tif 000014